(57)【要約】【課題】２２ｋＶの電線路を接地短絡する場合に、電線路側の端子に接地線の端子を容易かつ安全に接続する作業を実現する接地線端部用仮支持具や接地短絡用具を提供すること。【解決手段】２２ｋＶの特別高圧の電線路１００に予め導通接続されている配電側ネジ端子１１０に接地線１６０端部の接地側ネジ端子１７０を螺合して接地短絡する作業を行う際に用いる該接地線端部用の仮支持具１０であって、電線路に着脱可能に取り付ける引掛部１１と、接地線端部の接地側ネジ端子を絶縁操作棒２００により着脱可能に係止する保持部１２と、絶縁操作棒の端部を着脱するジョイント部２２と、引掛部およびジョイント部と共に複数の保持部を配設されて接地線端部を支持する支持部材１３と、を備える。【選択図】図７
2008079430.tif 000002
【特許請求の範囲】
【請求項１】
特別高圧の電線路に予め導通接続されている電線路側ネジ端子に接地線端部の接地側ネジ端子を螺合して接地短絡する作業を行う際に用いる該接地線端部用の仮支持具であって、
電線路に着脱可能に取り付ける取付部と、接地線端部の接地側ネジ端子を絶縁操作棒により着脱可能に係止するネジ端子係止部と、取付部と共に複数のネジ端子係止部を配設されて接地先端部を支持する支持部と、を備えることを特徴とする接地線端部用仮支持具。
【請求項２】
前記ネジ端子係止部は、接地線端部の接地側ネジ端子を螺合可能なネジ端子であることを特徴とする請求項１に記載の接地線端部用仮支持具。
【請求項３】
前記取付部は、電線路に引っ掛けるフック形状部と、絶縁操作棒の端部を着脱するジョイント部と、該ジョイント部を回転させることによりフック形状部の湾曲形状の内面側に近接または離隔するスライド部と、を備えることを特徴とする請求項１または２に記載の接地線端部用仮支持具。
【請求項４】
前記取付部は、電線路に引っ掛けるフック形状部を備えており、
該フック形状部は、電線路に引っ掛け可能な断面フック形状が電線路の延長方向に延在することを特徴とする請求項１から３のいずれかに記載の接地線端部用仮支持具。
【請求項５】
前記取付部は、電線路に引っ掛けるフック形状部を備えており、
該フック形状部は、支持部の少なくとも２箇所の遠隔位置に配置されていることを特徴とする請求項１から３のいずれかに記載の接地線端部用仮支持具。
【請求項６】
特別高圧の電線路に予め導通接続されている電線路側ネジ端子に接地線端部の接地側ネジ端子を螺合して接地短絡する作業を行う際に用いる接地短絡用具であって、
上記請求項１から５のいずれかに記載の接地線端部用仮支持具と、接地線端部の接地側ネジ端子を保持して電線路側ネジ端子に対して相対回転させるネジ端子保持具と、を備えており、
該ネジ端子保持具は、絶縁操作棒の端部を着脱するジョイント部と、接地線端部の接地側ネジ端子を該ジョイント部に対して相対回転不能に係合する係合部と、を具備することを特徴とする接地短絡用具。
【発明の詳細な説明】
【技術分野】
【０００１】
本発明は、接地線端部用仮支持具および接地短絡用具に関し、詳しくは、２２ｋＶの特別高圧の電線路を接地短絡させる作業を容易にすることのできるものに関する。
【背景技術】
【０００２】
従来、受電設備や電線路などに対して各種作業を行なう際には、安全を確保するために接地線を接続して短絡させることが行なわれており、それぞれの接続ポイントに応じた各種の接地短絡用具が提案されている（例えば、特許文献１〜４参照）。
【０００３】
この種の接地短絡用具としては、６ｋＶの３相電線路を接地短絡させる場合には、その都度、外被を剥がして電線路の芯線（導通線）に接地線を導通接続して短絡させることが行われているが、この場合には、外被を剥がした箇所をテープ巻きなどして絶縁性を確保している。
【特許文献１】実開平７−７０７６号公報
【特許文献２】特開２００２−１５２９３５号公報
【特許文献３】実開平５−６０１１９号公報
【特許文献４】特開２００１−１５７３３３号公報
【発明の開示】
【発明が解決しようとする課題】
【０００４】
しかしながら、このような従来の接地短絡用具にあっては、２２ｋＶの特別高圧電線路を接地短絡する場合には、特別高圧であることから６ｋＶの電線路と同様に処理して絶縁性を確保することはできない。このため、このような特別高圧の電線路には、予め電線路の導通線に絶縁性を確保可能なネジ端子を導通接続させておくことが行われており、そのネジ端子に接地線側のネジ端子を螺合させて導通接続することにより接地短絡することができ、その後には、その接地線側のネジ端子を外して元に戻すことにより絶縁性を確保することができる。
【０００５】
このことから、例えば、３相の電線路を接地短絡する場合には、図１０に示すように、電線路１００側のネジ端子１１０に接続可能なネジ端子１７０が端部に設けられている３本の分岐接地線１６０と、この分岐接地線１６０を集合させて端部に、所謂、ワニ口クリップなどの接地金具が設けられている集合接地線１８０とを有する接地線１５０を準備して、図６に示す絶縁操作棒２００の先端に１本目の分岐接地線１６０のネジ端子１７０を保持させて、１線目の電線路１００のネジ端子１１０に接続させた後に、絶縁操作棒２００の先端に２本、３本目の分岐接地線１６０のネジ端子１７０を順次に保持させて２線目、３線目の電線路１００のネジ端子１１０に接続させる作業を行っていた。
【０００６】
このため、１本目の分岐接地線１６０に２本目、３本目の分岐接地線１６０と共に集合接地線１８０もぶら下げられた状態になり、揺れが生じるなどした場合には、ネジ端子１１０、１７０等に損傷を与えてしまう恐れがある。また、絶縁操作棒２００の先端に２本目、３本目の分岐接地線１６０のネジ端子１７０を保持させる作業は、１本目の分岐接地線１６０を１線目の電線路１００に導通接続させた状態のまま手で行われることになり、誘導電圧や残留電荷による感電事故が何等かの原因により発生する恐れがある。
【０００７】
そこで、本発明は、２２ｋＶの電線路を接地短絡する場合に、電線路側の端子に接地線の端子を容易かつ安全に接続する作業を実現する接地線端部用仮支持具や接地短絡用具を提供することを目的とする。
【課題を解決するための手段】
【０００８】
上記課題を解決する接地線端部用仮支持具の第１の発明は、２２ｋＶの特別高圧の電線路に予め導通接続されている電線路側ネジ端子に接地線端部の接地側ネジ端子を螺合して接地短絡する作業を行う際に用いる該接地線端部用の仮支持具であって、電線路に着脱可能に取り付ける取付部と、接地線端部の接地側ネジ端子を絶縁操作棒により着脱可能に係止するネジ端子係止部と、取付部と共に複数のネジ端子係止部を配設されて接地先端部を支持する支持部と、を備えることを特徴とするものである。
【０００９】
この発明では、２２ｋＶの特別高圧の電線路のネジ端子に螺合させる接地線端部のネジ端子を支持部のネジ端子係止部に係止させた状態で、その取付部を電線路に一時的に取り付けることにより、電線路のネジ端子の近傍に接地線端部のネジ端子を位置させることができ、その接地線端部のネジ端子を支持部のネジ端子係止部から絶縁操作棒などにより外して電線路のネジ端子に螺合させる作業を順次に行うことにより、電線路に接地線を導通接続して接地短絡することができる。したがって、１本目の分岐接地線を電線路に導通接続させた状態でも、２本目、３本目の分岐接地線がぶら下げられた状態になることがなく、支持部に保持させた状態のままにして、損傷させてしまうことを防止することができる。また、１本目の分岐接地線を電線路に導通接続させた後にも、２本目、３本目の分岐接地線が不安定にぶらぶらすることなく、それぞれネジ端子も同様に絶縁操作棒などにより電線路のネジ端子に順次に螺合させることができ、手で螺合させる作業を行う必要はない。
【００１０】
上記課題を解決する接地線端部用仮支持具の第２の発明は、上記第１の発明の特定事項に加え、前記ネジ端子係止部は、接地線端部の接地側ネジ端子を螺合可能なネジ端子であることを特徴とするものである。
【００１１】
この発明では、接地線端部のネジ端子を電線路のネジ端子と同様に支持部のネジ端子係止部に螺合させて係止させることができことができる。したがって、電線路のネジ端子と同様の簡易な構造を支持部に設けるだけでよく、また、同様の作業で支持部に着脱することができる。
【００１２】
上記課題を解決する接地線端部用仮支持具の第３の発明は、上記第１または第２の発明の特定事項に加え、前記取付部は、電線路に引っ掛けるフック形状部と、絶縁操作棒の端部を着脱するジョイント部と、該ジョイント部を回転させることによりフック形状部の湾曲形状の内面側に近接または離隔するスライド部と、を備えることを特徴とするものである。
【００１３】
この発明では、絶縁操作棒の先端にジョイント部を取り付けた後に、その絶縁操作棒を把持して電線路にフック形状部を引っ掛けることにより一時的に取り付けることができ、この後に、その絶縁操作棒（ジョイント部）を回転させることにより、スライド部をフック形状部内に進入（近接）させて湾曲形状内面に電線路を押し付ける状態にして取り付けることができる。したがって、支持部が不用意に落下したり、自由に揺れてしまうことを制限することができ、各種作業をスムーズに進めることができる。
【００１４】
上記課題を解決する接地線端部用仮支持具の第４の発明は、上記第１から第３のいずれかの発明の特定事項に加え、前記取付部は、電線路に引っ掛けるフック形状部を備えており、該フック形状部は、電線路に引っ掛け可能な断面フック形状が電線路の延長方向に延在することを特徴とするものである。
【００１５】
この発明では、電線路に引っ掛けるフック形状部がその電線路の延長方向に延在することにより、支持部が水平方向に回転しようとするのを制限することができる。したがって、支持部が自由に揺れてしまうことを制限することができ、各種作業をスムーズに進めることができる。
【００１６】
上記課題を解決する接地線端部用仮支持具の第５の発明は、上記第１から第３のいずれかの発明の特定事項に加え、前記取付部は、電線路に引っ掛けるフック形状部を備えており、該フック形状部は、支持部の少なくとも２箇所の遠隔位置に配置されていることを特徴とするものである。
【００１７】
この発明では、電線路の２箇所にフック形状部をそれぞれ引っ掛けることにより、異なる電線路または同一の電線路の離隔する２箇所に引っ掛けられたフック形状部が水平方向に回転しようとするのを制限することができる。したがって、支持部が自由に揺れてしまうことを制限することができ、各種作業をスムーズに進めることができる。
【００１８】
上記課題を解決する接地短絡用具の第１の発明は、２２ｋＶ特別高圧の電線路に予め導通接続されている電線路側ネジ端子に接地線端部の接地側ネジ端子を螺合して接地短絡する作業を行う際に用いる接地短絡用具であって、上記の第１から第５のいずれかの発明の接地線端部用仮支持具と、接地線端部の接地側ネジ端子を保持して電線路側ネジ端子に対して相対回転させるネジ端子保持具と、を備えており、該ネジ端子保持具は、絶縁操作棒の端部を着脱するジョイント部と、接地線端部の接地側ネジ端子を該ジョイント部に対して相対回転不能に係合する係合部と、を具備することを特徴とするものである。
【００１９】
この発明では、上記の接地線端部用仮支持具による作用効果を得ることができるとともに、接地線端部の接地側ネジ端子を電線路側ネジ端子に対して螺合回転させるネジ端子保持具を絶縁操作棒の先端に着脱することができ、その絶縁操作棒を回転させることにより接地線端部の接地側ネジ端子を電線路側ネジ端子に螺合させることができる。したがって、他の工具と絶縁操作棒を共通使用することができるとともに、仮支持具がジョイント部を備える場合には、その仮支持具とも絶縁操作棒を共通使用して各種作業を行うことができる。
【発明の効果】
【００２０】
このように本発明によれば、２２ｋＶ特別高圧の電線路に導通接続する全ての接地線の端部をその電線路に一時的に支持させつつ、それぞれの電線路にネジ端子同士を螺合させる作業を順次に行うことができ、接地線端部のネジ端子を近傍から移動させて電線路のネジ端子の容易に螺合させることができる。したがって、１本目の接地線に他の接地線がぶら下げられた状態になって損傷させてしまうことがなく、また、２本目以降の接地線端部のネジ端子を手で扱うことなく、電線路の接地短絡作業を容易かつ安全に完了することができる。
【発明を実施するための最良の形態】
【００２１】
以下、本発明の最良の実施形態を図面に基づいて説明する。図１〜図７は本発明に係る接地線端部用仮支持具とネジ端子保持具を備える接地短絡用具の第１実施形態を示す図である。
【００２２】
図１において、接地線端部用の仮支持具１０は、２２ｋＶ特別高圧の電線路１００のネジ端子１１０に図１０に示す接地線１５０のネジ端子１７０を接続して接地短絡させる作業を行う際に、図２に示すネジ端子保持具５０と共に用いる補助具である。
【００２３】
まず、ここで、電線路１００に予め設置されている接地短絡用のネジ端子１１０は、図３および図４に示すように、Ｔ字形状に形成されて電線路１００に導通接続させる接続端子１１１と、この接続端子１１１を内装可能に内部にＴ字形状の空間Ｓを画成するカバー部材１１５と、接続端子１１１に接続保持させてカバー部材１１５の下部側開口１１７ａを閉塞状態にする蓋部材１２１と、を備えている。
【００２４】
接続端子１１１は、電線路１００の外被１００ａを剥がされた状態の導通線１００ｂをスリット１１２ａから内装させるように被せて圧着接続させることにより導通接続させるストレート部１１２と、このストレート部１１２の中央部に連設されている雌ネジ部１１３と、を備えている。この接続端子１１１は、電線路１００の導通線１００ｂにストレート部１１２を導通接続させた状態で雌ネジ部１１３に接地線１５０を導通接続させることにより電線路１００の接地短絡を可能にする。
【００２５】
カバー部材１１５は、絶縁性を有する樹脂材料により作製されて接続端子１１１のストレート部１１２が導通接続された箇所の電線路１００の挿通空間を画成するストレート部１１６と、接続端子１１１の雌ネジ部１１３を内部に位置させて接地線１５０の端部を差し込んで導通接続させる空間を画成する差込部１１７と、を備えている。このカバー部材１１５は、ストレート部１１６の両端部を絶縁被覆１１８で覆うと共にその内部に絶縁樹脂材料１１９を充填することにより、蓋部材１２１と共に電線路１００の２２ｋＶ特別高圧の絶縁性を確保している。
【００２６】
蓋部材１２１は、接続端子１１１の雌ネジ部１１３に螺合させて固定可能な雄ネジ部１２２と、この雄ネジ部１２２に相対回転不能に連設された絶縁材料からなる棒状部材１２３と、この棒状部材１２３を中心に保持するとともにカバー部材１１５の差込部１１７の下部側開口１１７ａを閉塞する絶縁材料からなる円盤部材１２４と、棒状部材１２３の端部に相対回転不能に連設された六角ネジ部１２５と、を備えている。この蓋部材１２１は、六角ネジ部１２５を回転道具などで回転させることにより棒状部材１２３を介して雄ネジ部１２２を接続端子１１１の雌ネジ部１１３に螺合させてカバー部材１１５の下部側開口１１７ａを閉塞・開放するように着脱することができ、これにより電線路１００の接地短絡や絶縁確保を可能にしている。
【００２７】
また、接地線１５０（分岐接地線１６０）のネジ端子１７０は、図５に示すように、ワニ口クリップなどの接地金具によりアース接続する集合接地線１８０から分岐されている３本の分岐接地線１６０の先端部に配設されており、その分岐接地線１６０の先端部に導通接続されて略直角に屈折されている丸端子１７１と、この丸端子１７１に脱落不能に装着されて電線路１００側のネジ端子１１０の雌ネジ部１１３に螺合させて固定可能な雄ネジ部１７２と、この雄ネジ部１７２に相対回転不能に連設された六角ネジ部１７３と、を備えている。この分岐接地線１６０のネジ端子１７０は、六角ネジ部１７３を回転道具などで回転させて雄ネジ部１７２を電線路１００側のネジ端子１１０の雌ネジ部１１３に螺合させて固定することにより丸端子１７１をそのネジ端子１１０の接続端子１１１に導通接続させることができ、分岐接地線１６０や集合接地線１８０を介して電線路１００を接地短絡することができる。
【００２８】
そして、図１に戻って、仮支持具１０は、電線路１００に引っ掛ける引掛部１１と、分岐接地線１６０のネジ端子１７０を接続して先端を保持させる保持部１２と、引掛部１１と共に保持部１２を３箇所に配設されている長尺な形状の支持部材１３と、を備えている。この仮支持具１０は、支持部材１３の保持部１２の全てに分岐接地線１６０の先端を接続保持させた後に、その支持部材１３の引掛部１１を電線路１００に引っ掛けて取り付けることにより、集合接地線１８０を含む接地線１５０の全体を３本の分岐接地線１６０で分散保持しつつ、その分岐接地線１６０を電線路１００のネジ端子１１０に順次に接続する作業を実現することができる。
【００２９】
具体的には、仮支持具１０の引掛部１１は、電線路１００に引っ掛けるフック形状部２１と、図６に示す絶縁操作棒２００の先端に取り付けるジョイント部２２と、このジョイント部２２に相対回転不能に連設されてヘッド部２３ａをフック形状部２１内に進退させるスライド部２３と、を備えている。
【００３０】
この引掛部１１のフック形状部２１は、支持部材１３の長さ方向の中心からずれた位置に配設されており、電線路１００を進入させる開口がその支持部材１３の長さ方向の中心側になる姿勢で支持部材１３に固設されている。これにより、引掛部１１は、支持部材１３の長さ方向の中心からずれた位置で電線路１００に引っ掛けてフック形状部２１の開口が下がる姿勢にすることができ、電線路１００が不用意に外れてしまうことを少なくすることができる。
【００３１】
また、ジョイント部２２は、絶縁操作棒２００の先端部を差込可能に基端部の後端面が開口する有底の円筒形状に形成されており、その円筒部の互いに反対側となる周面が概略Ｔ字形状に切り欠かれることにより、後端面（絶縁操作棒２００）側から先端側に向う差込切欠部２２ａと、この差込切欠部２２ａの直交方向の両側に連続するように屈曲する係合切欠部２２ｂと、が一対形成されている。これにより、引掛部１１は、後述するように、操作棒２００のピン２０１をジョイント部２２の差込切欠部２２ａから係合切欠部２２ｂ内の奥まで進入させて引っ掛けることにより相対回転不能かつ引抜不能（脱落不能）に取り付けることができる。
【００３２】
スライド部２３は、支持部材１３に刻設されている不図示の雌ネジに螺合する雄ネジ形状２３ｂが外周面に形成されており、その支持部材１３（雌ネジ）に対する軸方向にジョイント部２２を介して相対回転されることにより雄ネジ形状２３ｂとの螺合位置を変化させてヘッド部２３ａをフック形状部２１内で進退させることができる。
【００３３】
これにより、仮支持具１０の引掛部１１は、フック形状部２１の開口側から電線路１００を進入させて引っ掛けた状態にした後に、ジョイント部２２を介してスライド部２３を回転させることにより、そのスライド部２３のヘッド部２３ａをフック形状部２１の湾曲部分に接近させて電線路１００を押圧する状態で挟持（保持）することができ、仮支持具１０の支持部材１３を電線路１００の所望の位置に容易に一時的に取り付けることができる。反対に、この仮支持具１０の引掛部１１は、ジョイント部２２を介してスライド部２３を逆回転させることにより、そのスライド部２３のヘッド部２３ａをフック形状部２１の湾曲部分から離隔させて電線路１００を自由にしてフック形状部２１の開口側から離脱させることができ、仮支持具１０の支持部材１３を電線路１００から容易に回収することができる。すなわち、支持部材１３が支持部を構成して、この引掛部１１が取付部を構成している。
【００３４】
また、仮支持具１０の保持部１２は、分岐接地線１６０のネジ端子１７０の雄ネジ部１７２を螺合可能な雌ネジ部３１を長尺な支持部材１３に埋設することにより形成されており、引掛部１１のスライド部２３（フック形状部２１の電線路１００に引っ掛ける湾曲部分に対応する箇所）を含めての４箇所が支持部材１３の長さ方向に略均等配置されることにより両端側２箇所と内側１箇所に配設されている。
【００３５】
これにより、仮支持具１０の保持部１２は、分岐接地線１６０端部の六角ネジ部１７３を回転道具で回転させることにより分岐接地線１６０端部の雄ネジ部１７２を支持部材１３の雌ネジ部３１に螺合接続することができ、支持部材１３に３本の分岐接地線１６０のネジ端子１７０を一時的に保持させることができる。反対に、この仮支持具１０の保持部１２は、六角ネジ部１７３を回転道具で逆回転させることにより雄ネジ部１７２を支持部材１３の雌ネジ部３１から容易に外してそのまま電線路１００のネジ端子１１０に螺合接続する作業を順次に行うことを可能にする。すなわち、分岐接地線１６０のネジ端子１７０の雄ネジ部１７２が接地側ネジ端子を構成して、この保持部１２がネジ端子係止部を構成している。
【００３６】
ここで、仮支持具１０は、本実施形態では、長尺な支持部材１３に保持部１２などを均等配置するがこれに限るものではなく、例えば、引掛部１１のスライド部２３を支持部材１３の長さ方向の中央に配設してもよく、また、その支持部材も長尺部材に限らずに、例えば、三角形状の各頂点に保持部１２を配設するとともにその中心に引掛部１１のスライド部２３を配設することによりバランスを取るようにしてもよい。
【００３７】
次に、ネジ端子保持具５０は、図２に示すように、六角形の柱状に形成されている六角ネジ部を回転させる回転工具部５１と、この回転工具部５１を絶縁操作棒２００の先端に取り付けるジョイント部５２と、を備えており、絶縁操作棒２００の先端にジョイント部５２を介して回転工具部５１を取り付けた状態にすることにより、電線路１００のネジ端子１１０の蓋部材１２１や分岐接地線１６０のネジ端子１７０を電線路１００のネジ端子１１０に対して相対回転させて螺合接続させる着脱作業を容易かつ安全に行うことを実現する。
【００３８】
具体的には、ネジ端子保持具５０の回転工具部５１は、円筒形状に形成されて、その先端部には六角柱を内装するソケット５１ａが形成されており、そのソケット５１ａは、互いの軸方向を中心にする相対角度がずれても六角柱を相対回転不能に容易に内装して係止することのできるソケット形状に形成されている。すなわち、回転工具部５１が係合部を構成している。
【００３９】
また、ジョイント部５２は、仮支持具１０のジョイント部２２と同様な構造に設計されており、後述するように、絶縁操作棒２００のピン２０１をジョイント部５２の差込切欠部５２ａから係合切欠部５２ｂ内の奥まで進入させて引っ掛けることにより回転工具部５１を相対回転不能かつ引抜不能（脱落不能）に絶縁操作棒２００の先端に取り付けることができる。
【００４０】
これにより、ネジ端子保持具５０の回転工具部５１は、仮支持具１０のジョイント部２２に着脱する絶縁操作棒２００を共通使用して（汎用の絶縁操作棒２００を流用して）、その絶縁操作棒２００の先端部に取り付けた回転工具部５１のソケット５１ａ内に蓋部材１２１や分岐接地線１６０の六角ネジ部１２５、１７３を相対回転不能に内装することができ、その絶縁操作棒２００を回転させることによりそれぞれの雄ネジ部１２２、１７２を電線路１００のネジ端子１１０や仮支持具１０の支持部材１３の雌ネジ部１１３、３１に螺合させたり、その螺合を解除して外した状態で保持するなどの作業を容易に行うことができる。
【００４１】
ここで、絶縁操作棒２００は、図６示すように、汎用道具であり、先端部の互いに反対側となる側面に突起形状に一対立設されることにより仮支持具１０やネジ端子保持具５０のジョイント部２２、５２の２箇所の切欠部２２ａ、２２ｂ、５２ａ、５２ｂ内に挿し込んで係合させることのできるピン２０１と、先端部の先端面に配設されて不図示の内蔵スプリングにより突出方向に付勢されている突起２０２と、先端部の側面に刻設されている不図示のネジ形状に螺合して進退可能なグリップ２０３と、滑り難い材質の取替え可能な滑り止が施されて作業員の把持する基端部側の把持部２０４と、を備えている。
【００４２】
これにより、絶縁操作棒２００は、仮支持具１０やネジ端子保持具５０のジョイント部２２、５２内に先端部を差し込んで突起２０２を内蔵スプリングの弾性力に抗して沈ませつつ、ピン２０１の双方をそのジョイント部２２、５２の切欠部２２ａ、２２ｂ、５２ａ、５２ｂ内に進入させて回転させた後に、その進入させる力を解放すると、突起２０２がスプリングの弾性力により突出してジョイント部２２、５２を押し出すことにより、その係合切欠部２２ｂ、５２ｂから屈曲する係合溝２２ｃ、５２ｃ内にピン２０１を離脱不能に係合させることができる。さらに、この絶縁操作棒２００は、グリップ２０３を回転させてジョイント部５２側に寄せることによりピン２０１が係合溝５２ｃ内から離脱して回転しないようにロックすることができ、ネジ端子保持具５０が相対回転して外れてしまうことを信頼性高く防止して取り扱い易くすることができる。ここで、この絶縁操作棒２００は、中間部分に傘カバー２０５、２０６が取り付けられているとともに、全体をプラスチックなどの絶縁材料で作製されることにより絶縁性が確保されており、先端側の傘カバー２０５が仮支持具１０やネジ端子保持具５０側からの水分を滴下させるとともに、基端側の傘カバー２０６が安全に作業を行い得る限界位置を示して、作業する際の安全を確保している。
【００４３】
このことから、電線路１００の接地短絡作業を行う際には、まずは、仮支持具１０の支持部材１３の３箇所に配列されている保持部１２の雌ネジ部３１に、アース接続されている集合接地線１８０に導通する３本の分岐接地線１６０端部の雄ネジ部１７２を螺合接続するとともに、その仮支持具１０の引掛部１１のジョイント部２２に絶縁操作棒２００の先端を取り付ける。この後に、その絶縁操作棒２００を把持して、仮支持具１０の引掛部１１のフック形状部２１を３相のいずれかの（中央が好適）電線路１００のネジ端子１１０の近傍に引っ掛けた後に、そのまま絶縁操作棒２００を回転させることにより、スライド部２３のヘッド部２３ａとフック形状部２１との間で電線路１００を挟持する状態にすることができ、風などにより落下する恐れなく取り付けることができる。このときには、３本の分岐接地線１６０先端のネジ端子１７０は、電線路１００のネジ端子１１０の近傍に位置されていることになる。
【００４４】
次いで、電線路１００に取り付けられている状態の仮支持具１０のジョイント部２２からその絶縁操作棒２００の先端を逆操作により外した後に、その絶縁操作棒２００の先端にネジ端子保持具５０のジョイント部５２を取り付ける。なお、このときには、絶縁操作棒２００を仮支持具１０のジョイント部２２に取り付ける際には、取り外し可能にグリップ２０３を用いないのに対して、その絶縁操作棒２００をネジ端子保持具５０のジョイント部５２に取り付ける際には、反対に、脱落不能にそのグリップ２０３を利用する。
【００４５】
次いで、その絶縁操作棒２００を把持して、電線路１００に設置されているネジ端子１１０の蓋部材１２１の六角ネジ部１２５をネジ端子保持具５０の回転工具部５１のソケット５１ａ内に相対回転不能に内装して絶縁操作棒２００と共に回転させることにより、その蓋部材１２１の雄ネジ部１２２をネジ端子１１０の接続端子１１１の雌ネジ部１１３から外すことができ、その蓋部材１２１を手元に回収してネジ端子１１０のカバー部材１１５の差込部１１７の下部側開口１１７ａを開放することができる。
【００４６】
この後には、図７に示すように、そのネジ端子保持具５０の回転工具部５１から蓋部材１２１を外して、その回転工具部５１のソケット５１ａ内に、そのネジ端子１１０近傍の電線路１００に取り付けた仮支持具１０の支持部材１３の保持部１２に螺合させた分岐接地線１６０の六角ネジ部１７３を相対回転不能に内装して絶縁操作棒２００と共に回転させることにより、その分岐接地線１６０の六角ネジ部１７３を保持しつつその雄ネジ部１７２を仮支持具１０の保持部１２の雌ネジ部３１から外すことができる。
【００４７】
続けて、その絶縁操作棒２００をそのままの姿勢で移動させるだけで、ネジ端子保持具５０の回転工具部５１で六角ネジ部１７３を保持する分岐接地線１６０の先端のネジ端子１７０を電線路１００のネジ端子１１０のカバー部材１１５の差込部１１７内に下部側開口１１７ａから差し込むことができ、その絶縁操作棒２００を回転させることにより、そのネジ端子１１０の接続端子１１１の雌ネジ部１１３に分岐接地線１６０先端のネジ端子１７０の雄ネジ部１７２を螺合させて導通接続させることができる。
【００４８】
そして、同様の操作を３本の分岐接地線１６０毎に行うことにより、分岐接地線１６０のネジ端子１７０を仮支持具１０に保持させつつ、３相の電線路１００のネジ端子１１０に順次に移動させて導通接続させることができる。
【００４９】
また、電線路１００を接地短絡させる必要のあった作業が終了した後には、上述した電線路１００への分岐接地線１６０の接地短絡作業を逆手順で行うことにより、その分岐接地線１６０のネジ端子１７０を仮支持具１０に保持させた状態にしてから、容易かつ損傷させることなく回収することができる。
【００５０】
このように本実施形態においては、１本の分岐接地線１６０に他の分岐接地線１６０や集合接地線１８０などを一時的にも、ぶら下げた状態にすることがないので、電線路１００や分岐接地線１６０のネジ端子１１０、１７０の雌ネジ部１１３や雄ネジ部１７２を損傷させてしまうことなく、電線路１００の接地短絡作業を完了することができる。また、このときには、絶縁操作棒２００を立てた状態のままネジ端子保持具５０に回転不能に保持（内装）させる六角ネジ部１７３を簡易に切り替えて、手で取り扱うことなく、分岐接地線１６０の雄ネジ部１７２を仮支持具１０や電線路１００のネジ端子１１０の雌ネジ部３１、１１３に容易に螺合させたり外したりすることができ、誘導電圧や残留電荷による感電事故の恐れなく、安全に電線路１００の接地短絡作業を完了することができる。さらに、この絶縁操作棒２００は、一般的なジョイント部に着脱可能な汎用品であり、仮支持具１０やネジ端子保持具５０のジョイント部２２、５２に着脱することができ、共通使用することができる。
【００５１】
次に、図８は本発明に係る接地短絡用具の接地線端部用仮支持具の第２実施形態を示す図である。ここで、本実施形態は、上述実施形態と略同様に構成されていることから、同様の構成には同一の符号を付して特徴部分を説明する（以降で説明する他の実施形態においても同様）。
【００５２】
図８において、仮支持具１０の引掛部１１は、上述実施形態におけるフック形状部２１に代えてフック形状部６１が配設されており、このフック形状部６１は、フック形状の湾曲部分を湾曲方向に対して直交する両方向に延在させた延在湾曲部６１ａが連設されている。
【００５３】
これにより、仮支持具１０は、電線路１００に引っ掛ける引掛部１１（延在湾曲部６１ａ）の断面フック形状がその電線路１００の延在方向に延在しており、その引掛部１１のフック形状部６１の延在湾曲部６１ａを電線路１００に沿わせて引っ掛けることにより、電線路１００の接地短絡作業中に水平方向に回転しようとするのを制限して、電線路１００に対する姿勢を維持することができる。
【００５４】
このように本実施形態においては、上述実施形態による作用効果に加えて、仮支持具１０が自由に水平回転してしまうことがなく、仮支持具１０の雌ネジ部３１に分岐接地線１６０の雄ネジ部１７２を螺合させたり外したりする作業をスムーズに行うことができる。したがって、電線路１００の接地短絡作業をより容易に、また、迅速に完了することができる。
【００５５】
次に、図９は本発明に係る接地短絡用具の接地線端部用仮支持具の第３実施形態を示す図である。
【００５６】
図９において、仮支持具１０の引掛部１１は、上述実施形態におけるフック形状部２１が支持部材１３の両端部にそれぞれ配設されており、その一対のフック形状部２１を２本の電線路１００にそれぞれ引っ掛けることができるようになっている。
【００５７】
これにより、仮支持具１０は、２箇所の引掛部１１のフック形状部２１を異なる電線路１００に引っ掛けた状態にすることができ、電線路１００の接地短絡作業中に水平方向に回転しようとするのを制限して、また、電線路１００の軸心周り方向に回転しようとするのを制限して、電線路１００に対する姿勢を維持することができる。
【００５８】
このように本実施形態においては、上述実施形態による作用効果に加えて、仮支持具１０が自由に揺動してしまうことがなく、仮支持具１０の雌ネジ部３１に分岐接地線１６０の雄ネジ部１７２を螺合させたり外したりする作業をスムーズに行うことができる。したがって、電線路１００の接地短絡作業をより容易に、また、迅速に完了することができる。
【００５９】
また、本実施形態の他の態様としては、フック形状部２１を支持部材１３の長さ方向に対して直交する方向に向けてもよく、この場合には、同一の電線路１００の２箇所に引掛部１１のフック形状部を引っ掛けることができ、略同様の作用効果を得ることができる。
【産業上の利用可能性】
【００６０】
これまで本発明の一実施形態について説明したが、本発明は上述の実施形態に限定されず、その技術的思想の範囲内において種々異なる形態にて実施されてよいことは言うまでもない。例えば、上述実施形態では、３相の電線路１００を接地短絡させる３本の分岐接地線１６０の先端を支持可能にする場合を説明するが、これに限るわけではなく、１本または２本の接地線用にしてもよく、また、より多くの接地線の先端を支持可能に設計してもよいことは言うまでもない。
【図面の簡単な説明】
【００６１】
【図１】本発明に係る接地短絡用具の接地線端部用仮支持具の第１実施形態の全体構成を示す図であり、（ａ）はその正面図、（ｂ）はその側面図、（ｃ）はその底面図である。
【図２】本発明に係る接地短絡用具のネジ端子保持具の第１実施形態の全体構成を示す図であり、（ａ）はその正面図、（ｂ）はその上面図である。
【図３】その接地短絡用具により接地線を接続するネジ端子を示す図であり、（ａ）はそのカバー部材を示す平面図、（ｂ）はその接続端子を示す一部断面平面図、（ｃ）はその蓋部材を示す平面図である。
【図４】その図３に示すネジ端子の電線路に設置したときの状態を示す縦断面図である。
【図５】その図３に示す電線路のネジ端子に接続する接地線のネジ端子を示す平面図である。
【図６】その接地短絡作業に用いる絶縁操作棒を示す平面図である。
【図７】その接地短絡用具の接地線端部用仮支持具とネジ端子保持具の使用を説明する斜視図である。
【図８】本発明に係る接地短絡用具の接地線端部用仮支持具の第２実施形態の全体構成を示す図であり、その側面図である。
【図９】本発明に係る接地短絡用具の接地線端部用仮支持具の第３実施形態の全体構成を示す図であり、その側面図である。
【図１０】従来技術の課題を説明する状態図である。
【符号の説明】
【００６２】
１０……仮支持具    １１……引掛部    １２……保持部    １３……支持部材    ２１、６１……フック形状部    ２２、５２……ジョイント部    ２３……スライド部    ２３ａ……ヘッド部    ２３ｂ……雄ネジ形状    ３１、１１３……雌ネジ部    ５０……ネジ端子保持具    ５１……回転工具部    ５１ａ……ソケット    ６１ａ……延在湾曲部    １００……電線路    １００ｂ……導通線    １１０、１７０……ネジ端子    １１１……接続端子    １１２……ストレート部    １１５……カバー部材    １１６……ストレート部    １１７……差込部    １１７ａ……下部側開口    １１８……絶縁被覆    １１９……絶縁樹脂材料    １２１……蓋部材    １２２、１７２……雄ネジ部    １２３……棒状部材    １２４……円盤部材    １２５、１７３……六角ネジ部    １５０……接地線    １６０……分岐接地線    １８０……集合接地線    ２００……絶縁操作棒    ２０４……把持部
【図１】
2008079430.tif 000003
【図２】
2008079430.tif 000004
【図３】
2008079430.tif 000005
【図４】
2008079430.tif 000006
【図５】
2008079430.tif 000007
【図６】
2008079430.tif 000008
【図７】
2008079430.tif 000009
【図８】
2008079430.tif 000010
【図９】
2008079430.tif 000011
【図１０】
2008079430.tif 000012